(57)【要約】【課題】すばやく組み立て及び解体ができ、更に組み立て後堆積可能な、空間を有効に使用できるコンテナ構造を提供する。【解決手段】主に一枚の底板１、一対のはめ込み側板２、一対の引っ掛け側板３から構成する。底板枠１１の四隅にＴ形溝１２を設け、はめ込み側板２の底辺上のＴ形溝１２の対応する位置にＴ形凸架２５を設け、はめ込み側板２を底板枠１１にはめ込む。一対の引っ掛け側板３により一対のはめ込み側板２を支え、更に側板２４により引っ掛け側板３外縁を固定し、コ形軸３５をＵ形引っ掛け片３４に押し入れ、はめ込み側板２一対、引っ掛け側板３一対を固定する。両側台座１３及び中央台座１４に堆積框１３２を設ける。両側台座１３と中央台座１４の間の外側寄りの位置にそれぞれ補強板１５を溶接する。【選択図】　　図３
0003097843.tif 000002
【実用新案登録請求の範囲】
【請求項１】
主に底板とはめ込み側板一対、及び引っ掛け側板一対とより構成される組み立て式コンテナにおいて、
該底板は最底面に位置し数枚の板片により構成されており、
該底板の底板枠内側は、一対のはめ込み側板、一対の引っ掛け側板が接しており、底板枠の四隅にはＴ形溝が設けられており、該Ｔ形溝頭部は内側に、頸部は縁辺側に位置しており、
前記はめ込み側板の底辺上にはＴ型溝の存在する二箇所の位置に対応するＴ形凸架が設けられており、組み立て時、先にＴ形凸架をＴ形溝の頭部にはめ、その後はめ込み側板を外側にずらしＴ形凸架を溝頸部にはめ込むことにより簡単にはめ込み可能であり、
前記一対の引っ掛け側板は、底板枠のもう一方の外側辺に位置しており、該一対の引っ掛け側板は一対のはめ込み側板を支えており、更に、はめ込み側板の直面縁辺に設けられた側板により引っ掛け側板外縁を固定しており、引っ掛け側板の両外側面上部には固定片にて固定されコ形軸が設けられており、側板の固定時、先にコ形軸引き軸を引きコ形軸端を直立させることにより、はめ込み側板に設けられた直立長形溝にコ形軸端を簡単に差し込み可能であり、その後、コ形軸圧軸を側板に設けたＵ形引っ掛け片に押し入れることによりコ形軸を固定し、同時に該コ形軸端が水平角度になることにより一対のはめ込み側板、一対の引っ掛け側板が固定され、４枚の側板が底板枠の４辺上に構成されることを特徴とする組み立て式コンテナ。
【請求項２】
前記底板枠両側に２本、中央に１本の台座が設けられており、
両側台座の縦方向外側に長形堆積框が、横方向両端部及び中央台座の両端部に短形堆積框が設けられており、はめ込み側板上辺及び引っ掛け側板上辺をはめ込む空間を形成しておりそれによりコンテナが堆積可能なことを特徴とする請求項１記載の組み立て式コンテナ。
【請求項３】
前記両側台座と中央台座の間の外側寄りの位置にはそれぞれ補強板が溶接されており、底板との間に空間を形成しており、フォークリフト等の機械による両側台座への横方向からの侵入以外に、両側台座と中央台座の間への縦方向からの侵入時、補強版により重量が支えられるため、横方向からでも縦方向からでも運搬が可能なことを特徴とする請求項２に記載の組み立て式コンテナ。
【考案の詳細な説明】
【０００１】
【考案の属する技術分野】
本考案は、組み立て式コンテナに係り、特にコンテナ及び柵板の２重の用途があり、解体及び組み立てが素早く可能な組み立て式コンテナ構造に関わる。
【０００２】
【従来の技術】
一般に、コンテナは物を保管する用途にだけ使われ、従来より既に、図１（ａ），図１（ｂ）に示すように解体できる構造のものは考案されており、使用時に組み立て、不使用時には解体可能で、空間を有効に使用できる。
【０００３】
【考案が解決しようとする課題】
しかしながら、上述コンテナの構造及び功能はコンテナとしてだけに限られ、一般に該コンテナを堆積する時、フォークリフトによる操作が必要であるにもかかわらず、該コンテナは設計上の配慮がされてない為、極めて損傷、変形が生じやすく改善が要望されている。
そこで、本考案は、上述のコンテナの構造から生じる種々の欠点を改善すべく、すばやく組み立て、解体ができ、更に組み立て後堆積可能な、空間を有効に使用できるコンテナ構造を提供するものである。
【０００４】
【課題を解決するための手段】
上記の課題を解決するために、請求項１の考案は、主に底板とはめ込み側板一対、及び引っ掛け側板一対とより構成される組み立て式コンテナにおいて、該底板は最底面に位置し数枚の板片により構成されており、該底板の底板枠内側は、一対のはめ込み側板、一対の引っ掛け側板が接しており、底板枠の四隅にはＴ形溝が設けられており、該Ｔ形溝頭部は内側に、頸部は縁辺側に位置しており、前記はめ込み側板の底辺上にはＴ型溝の存在する二箇所の位置に対応するＴ形凸架が設けられており、組み立て時、先にＴ形凸架をＴ形溝の頭部にはめ、その後はめ込み側板を外側にずらしＴ形凸架を溝頸部にはめ込むことにより簡単にはめ込み可能であり、前記一対の引っ掛け側板は、底板枠のもう一方の外側辺に位置しており、該一対の引っ掛け側板は一対のはめ込み側板を支えており、更に、はめ込み側板の直面縁辺に設けられた側板により引っ掛け側板外縁を固定しており、引っ掛け側板の両外側面上部には固定片にて固定されコ形軸が設けられており、側板の固定時、先にコ形軸引き軸を引きコ形軸端を直立させることにより、はめ込み側板に設けられた直立長形溝にコ形軸端を簡単に差し込み可能であり、その後、コ形軸圧軸を側板に設けたＵ形引っ掛け片に押し入れることによりコ形軸を固定し、同時に該コ形軸端が水平角度になることにより一対のはめ込み側板、一対の引っ掛け側板が固定され、４枚の側板が底板枠の４辺上に構成されることを特徴とする組み立て式コンテナである。
請求項２の考案は、前記底板枠両側に２本、中央に１本の台座が設けられており、両側台座の縦方向外側に長形堆積框が、横方向両端部及び中央台座の両端部に短形堆積框が設けられており、はめ込み側板上辺及び引っ掛け側板上辺をはめ込む空間を形成しておりそれによりコンテナが堆積可能なことを特徴とする請求項１記載の組み立て式コンテナである。
請求項３の考案は、前記両側台座と中央台座の間の外側寄りの位置にはそれぞれ補強板が溶接されており、底板との間に空間を形成しており、フォークリフト等の機械による両側台座への横方向からの侵入以外に、両側台座と中央台座の間への縦方向からの侵入時、補強版により重量が支えられるため、横方向からでも縦方向からでも運搬が可能なことを特徴とする請求項２に記載の組み立て式コンテナである。
【０００５】
【考案の実施の形態】
本考案の実施例を図に沿って説明する。
図２，３に示すように、本考案の実施例は、主に一枚の底板１、一対のはめ込み側板２、一対の引っ掛け側板３から構成され、該底板１は最低部に位置し、該底板１は底板枠１１に数枚の板片１６が並べられることにより構成されており、底板枠１１内縁に立てられた一対のはめ込み側板２は垂直に隣接する一対の引っ掛け側板３とお互いに組み合わさっている。
【０００６】
底板枠１１の四隅にはＴ形溝１２が設けられており、該Ｔ形溝１２の頭部１２１は内側に、頚部１２２は縁辺側に位置する構造をしており、はめ込み側板２の底辺上のＴ形溝１２の存在する二箇所の位置に対応するＴ形凸架２５が設けられており、組み立て時に、先にＴ形凸架２５をＴ形溝１２の頭部１２１にはめ、その後はめ込み側板を外側にずらしＴ形凸架を溝頸部１２２にはめ込むことにより作業を容易にしている。
【０００７】
一対の引っ掛け側板３は底板枠１１のもう一方の外側辺に位置しており、該一対の引っ掛け側板３は一対のはめ込み側板２を支えており、更にはめ込み側板２の直面縁辺に設けられた側板２４により引っ掛け側板３外縁を固定している。
【０００８】
引っ掛け側板３両外側面上部には固定片３３にて固定されコ形軸３５が設けられており、該コ形軸３５は先ず、板面３２に溶接された固定片３３に直棒を貫通させ、その後直棒を図４、５、６のような形に湾曲させ、すなわち、コ形軸端３５１、コ形軸３５の中央部、コ形軸引き軸３５２、コ形軸圧軸３５３を形成し、側板の固定時、先にコ形軸３５の引き軸３５２を引き、コ形軸３５のコ形軸端３５１を直立させることにより、はめ込み側板２の板面２２に設けられた直立長形溝２３にコ形軸３５のコ形軸端３５１を差し込む作業を容易にしている。
その後、コ形軸３５の圧軸３５３を板面３２の下方に溶接されたＵ形引っ掛け片３４に押し入れることによりコ形軸３５を固定し、同時に該コ形軸３５ののコ形軸端３５１が水平角度になることにより、直立長形溝２３の位置が固定され、はめ込み側板２一対、引っ掛け側板３一対が固定され、４枚の側板が底板１枠１１の４辺上に構成される（図４，５，６参照）。
【０００９】
当然のことながら、解体時には組み立て時と逆の工程を行えばよく、該コンテナは柵板に解体でき、単純に柵板としても使用が可能である。
【００１０】
図２、図３に示すように、底板１枠１１両側に２本の両側台座１３、中央に１本の中央台座１４が設けられており、両側台座１３の縦方向外側に長形堆積框１３１が、横方向両端部及び中央台座１４の両端部に短形堆積框１３２が設けられており、はめ込み側板２上辺及び引っ掛け側板３上辺をはめ込む空間を形成しており、それによりコンテナを堆積することが可能である（図７参照）。
【００１１】
両側台座１３と中央台座１４の間の外側寄りの位置にはそれぞれ補強板１５が溶接されており、底板１との間に空間を形成しており、フォークリフト等の機械による両側台座１３への横方向からの侵入以外に、両側台座１３と中央台座１４の間への縦方向からの侵入時、補強板１５により重量が支えられるため、横方向からでも縦方向からでも運搬が可能である。
【００１２】
【考案の効果】
本考案によれば、簡単に解体及び組み立てができ、堆積可能という特性に加え、コンテナと柵板の２重の用途があることで、実用性が増すという効果が得られる。
【図面の簡単な説明】
【図１】図１（ａ）公知構造におけるコンテナの立体構造図であり、図１（ｂ）は図１（ｂ）の部分を拡大した分解立体図である。
【図２】本考案の実施例における立体分解図である。
【図３】本考案の実施例における別角度からの立体構造図である。
【図４】本考案の実施例における側板上の軸の差込み動作を示した図である。
【図５】本考案の実施例における次の側板上の軸の差込み動作を示した図である。
【図６】本考案の実施例における更に次の側板上の軸の差込み動作を示した図である。
【図７】本考案における堆積実施例である。
【符号の説明】
１　　　底板
１１　　枠
１２　　Ｔ形溝
１２１　頭部
１２２　頸部
１３　　両側台座
１３１　長形堆積框
１３２　短形堆積框
１４　　中央台座
１５　　補強板
１６　　板片
２　　　はめ込み側板
２１　　枠
２２　　板面
２３　　直立長形溝
２４　　側板
２５　　Ｔ形凸架
３　　　引っ掛け側板
３１　　枠
３１１　孔
３２　　板面
３３　　固定片
３４　　Ｕ形片
３５　　コ形軸
３５１　軸端
３５２　引き軸
３５３　圧軸
【図１】
0003097843.tif 000003
【図２】
0003097843.tif 000004
【図３】
0003097843.tif 000005
【図４】
0003097843.tif 000006
【図５】
0003097843.tif 000007
【図６】
0003097843.tif 000008
【図７】
0003097843.tif 000009